(57)【要約】【課題】固形除草剤を用いた簡易な構成を採ることよって取扱性や操作性を高め、既存の刈払機にも取り付け可能な汎用性がある刈払機の除草剤散布装置を提供する。【解決手段】刈払機７の刈刃付近に調節自在に保持すると共に、内部に柱状体状に固形化した所望配合の除草剤６を保持する空間と、下底部に開放口５２を有するホルダー２を備え、ホルダー内に保持した除草剤を開放口から露出させて刈刃面７４ａに当接するように構成する。また、ホルダーは、刈払機の桿部７２に固定するクランプ部３と、クランプ部に配設され、除草剤を上下動自在に保持すると共にその下部を刈刃面７４ａに当接させるケース部５と、から構成する。さらに、ケース部は、回動部４２と直動部４３とから成る調節機構４をもってクランプ部へ配設しており、必要によりケース部に刈刃のカバー体５５を配設している。【選択図】      図２
0003123975.tif 000002
【実用新案登録請求の範囲】
【請求項１】
刈払機（７）の刈刃付近に調節自在に保持すると共に、内部に固形化した除草剤（６）を保持する空間と下底部に開放口（５２）を有するホルダー（２）を備え、
該ホルダー内に保持した除草剤（６）を上記開放口（５２）から露出させて刈刃面（７４ａ）に当接するように構成したことを特徴とする刈払機の除草剤散布装置。
【請求項２】
ホルダー（２）を、
刈払機（７）の所定部位に固定するクランプ部（３）と、
該クランプ部（３）に配設され、除草剤（６）を上下動自在に保持すると共に除草剤（６）の下部を刈刃面（７４ａ）に当接可能とする開放口（５２）を形成したケース部（５）と、
から構成したことを特徴とする請求項１記載の刈払機の除草剤散布装置。
【請求項３】
固形化した除草剤（６）を柱体状に形成としたことを特徴とする請求項１、又は２記載の刈払機の除草剤散布装置。
【請求項４】
ケース部（５）を、
回動部（４２）と直動部（４３）とから成る調節機構（４）をもってクランプ部（３）への配設したことを特徴とする請求項２記載の刈払機の除草剤散布装置。
【請求項５】
ケース部（５）に、刈刃（７４）のカバー体（５５）を配設したことを特徴とする請求項２、又は４記載の刈払機の除草剤散布装置。
【考案の詳細な説明】
【技術分野】
【０００１】
本願考案は、駆動源によって稼動する刈払機の付属装置の分野に属し、特に、刈刃の回転に連動して除草剤を散布する刈払機の除草剤散布装置に関する。
【背景技術】
【０００２】
農林業の分野においては、農作物の成長保護、農作業現場の整理や美観の向上等を目的として、水田、畑若しくはその畦道、又は植林した幼木の周囲の雑草、灌木等（以下、「雑草等」と称する。）の刈り払いを行っていた。また、従来から、この刈り払い作業の能率向上と労力軽減を目的とした種々の携帯式又は可搬式の刈払機が製作され、そして利用されてきた。この刈払機は、主に、エンジンを配置した基部から延出させた桿部の先端部に円盤状の刈刃を配設すると共に、この刈刃をエンジン等の駆動源で回転させながら、適宜地面に沿って移動させることによって雑草等を刈り払いする構成を採っており、携帯仕様には肩掛式、背負式があり、可搬仕様には手押式、等がある。
【０００３】
かかる種々の刈払機のなかには、雑草等の刈り払い作業の進行と連動して液状の除草剤を散布するものがあった。例えば、特許文献１には、付帯させたタンクから回転刃（刈刃）の回転面に薬液（除草剤、等）を供給して、回転による跳ね返りや風圧によって薬液を飛散させる刈払機の薬液散布装置が開示されている。
【０００４】
また、特許文献２には、刈払刃の回転軸内に配設した薬液の吐出口を刈払刃の回転固定具に配置し、刈払刃の回転力と風圧によって薬液を散布する農薬併用刈払機が開示されている。
【特許文献１】実全昭５４−１２５３３９（第２−４頁、第１図）
【特許文献２】特開平０３−０３９００５（第２頁、第１図）
【考案の開示】
【考案が解決しようとする課題】
【０００５】
上記の特許文献に示す除草剤の散布装置等は、何れも液状の除草剤の使用を前提としているものであり、作業開始時には満量のタンクを付帯することとなるため装置全体の重量が嵩むものであった。例えば、肩掛式や背負式の刈払機においては、散布装置を付帯しない刈払機（肩掛式：３〜５ｋｇ、背負式：７〜８ｋｇ）と比べ約２〜３ｋｇの重量増となる。このため、長時間に渡る刈り払い作業においては作業者の労力負担は大きなものであった。
【０００６】
また、刈り払い作業現場が広範囲となる場合には、予め大量の液状の除草剤を準備する必要があった。この場合には、現場への搬送や除草剤のタンクへの補充等が煩雑であり、保管場所の確保も必要であった。
【０００７】
さらに、液状の除草剤は、回転する刃面からの跳ね返りや風圧により噴霧状となって散布されるため、雑草等の植栽状況や周囲の風速の変化によって、散布範囲の広狭に制御し難い大きなばらつきが生じていた。このため、周辺環境への影響のみならず、人体への付着や吸引によって作業者の健康障害のおそれも問題となっていた。
【０００８】
そこで、本願考案はかかる事情のもと、その解決を図るべく成されたものであり、特に、固形化した除草剤を用いた簡易な構成を採ることよって取扱性や操作性を高めると共に、既存の刈払機にも取り付け可能な汎用性をも備えた新規な刈払機の除草剤散布装置を提供するものである。
【課題を解決するための手段】
【０００９】
上記課題を解決するため、本願考案の刈払機の除草剤散布装置１（以下、「本装置」と略称する。）は、以下のように構成している。
すなわち、刈払機（７）の刈刃付近に調節自在に保持すると共に、内部に柱状体状に固形化した所望配合の除草剤（６）を保持する空間と、下底部に開放口（５２）を有するホルダー（２）を備え、該ホルダー内に保持した除草剤（６）を上記開放口（５２）から露出させて刈刃面（７４ａ）に当接するように構成したことを特徴としている。この構成により、除草剤（６）は刈刃面（７４ａ）の切削により順次細分化させて刈刃（７４）の周囲に散布することとなる。固形化した除草剤（６）は、小型軽量、例えば１５０ｇ以下であり、片手で容易に把持できる大きさに形成すると共に、刈払機（７）を操作する作業者が複数の除草剤（６）を携帯可能とすることが望ましい。
【００１０】
なお、刈払機（７）としては、刈刃（７４）に固形化した除草剤（６）を切削可能な刈刃面（７４ａ）を有していれば良い。したがって、円盤状（ディスク状）の刈刃（７４）を備える刈払機（７）がより好ましいものであるが、紐状のナイロンコードを回転させる所謂ナイロンカッターでも刈刃面（７４ａ）と同等の回転面を形成するものであれば適応可能である。刈払機（７）の形態としては、肩掛式、背負式、等を特に限定するものではない。
【００１１】
また、上記のホルダー（２）は、刈払機（７）の所定部位に固定するクランプ部（３）と、該クランプ部（３）に配設され、除草剤（６）を上下動自在に保持すると共に、その下部を刈刃（７４）の刈刃面（７４ａ）に当接させるケース部（５）と、から構成したことを特徴としている。クランプ部（３）を固定する刈払機（７）の部位としては、例えば、刈刃（７４）を保持する桿部（７２）が最も適当である。この構成により、本装置（１）は既存の刈払機（７）に簡易に取り付けることができる。
【００１２】
上記のケース部（５）は、回動部（４２）と直動部（４３）とから成る調節機構（４）をもってクランプ部（３）へ配設することが好ましい。この構成により、除草剤（６）の下部を刈刃面（７４ａ）の所望位置に適切に当接させることが可能となる。
【００１３】
また、ケース部（５）に刈刃（７４）のカバー体（５５）を配設することが好ましい。このカバー体（５５）により細分化された除草剤（６）の散布範囲又は方向の制御が容易となる。
【００１４】
なお、実用新案登録請求の範囲の書類と上記の課題を解決するための手段の欄で記載した括弧付き符号は、考案の構成の理解を容易にするため参考として図面符号を付記したもので、この図面上の形態に限定するものでないことはもちろんである。
【考案の効果】
【００１５】
本装置は上記の構成であるため、以下の効果を奏する。
まず、本装置は小型柱体状に固形化した除草剤を、刈刃面に当接させて順次細分化させつつ周囲に散布するため、重量が嵩む液状の除草剤やそのタンク等の付帯品を刈払機に配設する必要がなく、刈払機の重量増加が殆ど無い。このため、刈り払い作業の労力負荷増は格段に軽減されることとなる。
【００１６】
また、本装置の除草剤は約１５０ｇ以下の重量で、大きさも片手で容易に把持できる大きさの小型軽量の柱体状に形成している。このため、タンクに貯留する液状の除草剤が２〜３ｋｇであることと比較すると、固形化した除草剤は複数の予備の形態及び保管場所の確保も格段に容易である上、その交換作業も簡易である。
【００１７】
さらに、固形化した除草剤は、刈刃面により細分化されて散布されるため、噴霧状となる液状の除草剤と比べると刈払刃の回転状況による跳ね返りや風圧変化、周囲環境の風速変化による影響を受け難く、散布範囲の制御が容易であり、取扱性が格段に向上する効果を発揮している。
【考案を実施するための最良の形態】
【００１８】
以下、本装置の具体的実施例について、図面に基づき詳細に説明する。
図１は本装置を配置した刈払機の外観を示す斜視図であり、図２は本装置の配置状態を拡大して示す斜視図であり、図３は本装置の組立斜視図であり、図４及び図５は本装置の作用を示す説明図である。
【００１９】
まず、本装置１を配設する刈払機７は、いわゆる肩掛式と呼ばれる形態（タイプ）で、図１に示すように、動力源となるエンジンや燃料タンクを配置した基部７１に長尺管状の桿部７２を配置し、この桿部７２の先端部にチップソー７４ｂを備えた刈刃７４を配置する構成である。桿部７２の所定位置には、作業者が刈払機７を保持すると共に、先端側の刈刃７４を操作し易いように略Ｕ字状に湾曲したハンドル７３を、桿部７２の軸方向と直交するように配置している。また、桿部７２には作業者が刈払機７の肩掛用ベルト（図示省略）を配設し、前記のハンドル７３には刈刃７４の回転速度を制御するスロットル（図示省略）を配置している。
【００２０】
なお、この刈払機７の構成は既存技術であるため、これ以上の詳細な説明は省略する。また、以下の説明では、刈刃７４の回転方向を桿部７２の上方側から見てチップソー７４ｂの配置側、つまり図面上において反時計回り（矢印ａ）と規定する。
【００２１】
本装置１は上記構成の刈払機７に取り付けるものであって、所望配合にて柱体状に固形化した除草剤６（以下、単に「除草剤」と略称する。）を保持しつつ、除草剤６の下面を刈刃面７４ａに上方から当接させるホルダーから主に構成している。
【００２２】
除草剤６は、既存薬剤を所望の配合で固形化したものであり、断面視が略扇型（または略三角形）の柱状体である。また、除草剤６は、刈刃７４の刈刃面７４ａまたはチップソー７４ｂで細分化され得る堅さに形成している。
【００２３】
ホルダー２は、刈払機７の桿部７２に接続してホルダー全体を保持するクランプ部３と、クランプ部３に調節機構４をもって配設されると共に除草剤６を保持するケース部５とから構成している。
【００２４】
クランプ部３は、刈払機７の桿部７２の所定位置を側方から狭持することにより刈払機７と連結状態を成すいわゆる分離型支柱クランプであり、両側片をボルト３３で固定している。また、クランプ部３の一方側の端部からは狭持方向側に延長した立設部３１を形成し、この側面に後述する調節機構４の回動部４２の軸が嵌合する開孔３２を形成している。
【００２５】
クランプ部３に配置する調節機構４は、所定角度に曲げ形成した腕部４１の両端側に回動部４２と直動部４３とを配置して構成している。
【００２６】
回動部４２はクランプ部３の開孔３２に軸を嵌入して成り、腕部４１をクランプ部３に対して回動自在（矢印ｂ）に保持している。また、回動部４２は、クランプ部３の開孔３２の側方から貫通配置したボルト４４により回動調整後に固定可能としている。なお、回動部４２の固定方法は本実施例に限定するものではなく、例えば、軸をワッシャ及び蝶ネジを介して立設部３１に固定するように構成しても良い。
【００２７】
上記回動部４２を配置した腕部４１の他端側には、直動部４３を配置している。直動部４３は腕部４１の端部が突き当たるように接続し、腕部４１から図面上の鉛直方向の上下に立設する矩形板体である。また、直動部４３の腕部４１との接続部の上下には、長孔４３ａを鉛直方向に形成しており、この長孔４３ａを介して配置するボルト４４によってケース部５を上下動自在（矢印ｃ）の調整代をもって固定している。
【００２８】
ケース部５は上記構成の調節機構４によって刈刃上方に保持されている。このケース部５は、内部が確認できる程度に透明または半透明の樹脂材（例えば、アクリル板）から形成した筒状体である。ケース部５は、除草剤６と同形の略扇形の断面形状であり、直列に２個重ねた除草剤６を通過及び収納可能とする断面積と長さを有している。
【００２９】
ケース部５の内部側面には長手方向に峰状のリブ５３を各辺に２個形成している。このリブ５３の先端は、ケース部内に収納した除草剤６に接して水平方向の動きを抑制している。また、ケース部５の上面部には有底筒状の蓋５１を配置して上面を閉塞可能とすると共に、下底部は開放口５２としている。ケース部５の側面の下部には、内部に収納した除草剤６の高さ位置を一時的に固定するストッパーボルト５４を配置すると共に、刈刃７４の回転方向側の一部及びその側面を覆うカバー体５５をボルト５６により固定配置している。
【００３０】
なお、ケース部５の刈刃上方における配置は、側面視では開放口側を刈刃面７４ａに近接する位置とし、上面視では除草剤６の円弧側と刈刃７４のチップソー７４ｂを配置する外周縁部に沿う位置となるように調節機構４によって設定している。
【００３１】
上記構成の本装置１は、以下のように作用して刈払機７に取り付けられると共に、除草剤６を順次細分化しつつ散布する。
まず、ホルダー２のケース部５の蓋５１を取り、ケース内部に２個の除草剤６を直列状に重ねつつ収納し、ストッパーボルト５４によりケース部５に暫定的に固定する。
【００３２】
次に、クランプ部３を分離して刈払機７の桿部７２の所定位置を狭持することにより、ホルダー全体を刈払機７に取り付けて固定する。この固定時には、調節機構４の回動部４２及び直動部４３を調整してケース部５の刈刃７４に対する位置設定を行う。ケース部５の設定位置は、上述したように、ケース部５の開放口側が刈刃面７４ａに近接し、ケース部５の円弧側が刈刃７４の外周縁部に沿った位置である。
【００３３】
上記のケース部５の配置により、内部に収納する除草剤６は下面側の全体が刈刃面７４ａと重なり、円弧側はほぼ刈刃７４の外縁に配置したチップソー７４ｂと接することとなる。また、ケース部５に配置したカバー体５５は、刈刃７４の回転方向側の上方及び側面を覆う配置となる。
【００３４】
上記のホルダー２の固定及びケース部５の位置設定が完了したら、ケース部５のストッパーボルト５４を緩め、除草剤６をその自重により落下させる。この結果、除草剤６の下面側は、ケース部５の開放口５２から露出すると共に刈刃面７４ａに当接することとなり、散布準備が整うこととなる。なお、除草剤６のケース部５への収納は、ホルダー２の刈払機７への取り付けが完了した時点に行っても良い。
【００３５】
次に、刈払機７のエンジンを起動して刈刃７４を回転させつつ、雑草等の刈り払い作業を開始する。この刈り払い作業の進行と連動して、除草剤６は刈刃７４のチップソー７４ｂ及び刈刃面７４ａによって下面側から順次切削されて細分化し、刈刃面７４ａの跳ね返りや回転風圧によって回転方向に沿って散布されることとなる（矢印ｄ）。また、散布方向又は散布範囲は、ケース部５に配置したカバー体５５によってある程度制限されることとなる。
【００３６】
散布時における除草剤６は自重により刈刃面７４ａに当接しているため、刈刃７４の回転に対する高負荷となるおそれは殆ど無い。また、除草剤６はケース部５の複数リブ５３、５３、・・の先端によって水平方向の保持がなされているので、除草剤６がケース部５の内周面に接着等することはなく、下面側の切削にしたがって滞りなく自重落下することとなる。
【００３７】
除草剤６が無くなった場合には、作業者はケース部５の蓋５１を取って携帯している別の除草剤６を補充し、作業を継続することも可能である。
［他の実施形態の可能性］
【００３８】
上記実施例における本装置１は、除草剤６を略扇型の断面形を有する柱状体としているが、この形状に限定される必要はなく、四角柱、円柱、三角柱と適宜に選択することが可能である。なお、別形態の除草剤を選択する場合には、ケース部５の断面形状もこれに合わせて変更する必要がある。
【００３９】
また、上記実施例における本装置１は、ケース部５に１種類の除草剤６を直列状に重ねて配置する構成であるが、ケース部内を複数に分割して複数種の除草剤を配置するようにしても良い。
【図面の簡単な説明】
【００４０】
【図１】本装置を配置した刈払機の外観を示す斜視図である。
【図２】本装置の配置状態を拡大して示す斜視図である。
【図３】本装置の組立斜視図である。
【図４】本装置の作用を示す説明図である。
【図５】本装置の作用を示す説明図である。
【符号の説明】
【００４１】
１  本装置
２  ホルダー
３  クランプ部
３１  立設部
３２  開孔
３３  ボルト
４  調節機構
４１  腕部
４２  回動部
４３  直動部
４３ａ  長孔
４４  ボルト
５  ケース部
５１  蓋
５２  開放口
５３  リブ
５４  ストッパーボルト
５５  カバー体
５６  ボルト
６  除草剤
７  刈払機
７１  基部
７２  桿部
７３  ハンドル
７４  刈刃
７４ａ  刈刃面
７４ｂ  チップソー
【図１】
0003123975.tif 000003
【図２】
0003123975.tif 000004
【図３】
0003123975.tif 000005
【図４】
0003123975.tif 000006
【図５】
0003123975.tif 000007